(57)【要約】【課題】その製造工程数を少なくできると共に、使用される材料全体の材料費を節約することができるフロアパネルを提供する。【解決手段】箱状に形成されたフロアパネル４０において、天板部４４ａと底板部４６ａが一枚の板状部材により構成された。【選択図】図８
2015094177.tif 000002
【特許請求の範囲】
【請求項１】
箱状に形成されたフロアパネルにおいて、天板部と底板部が一枚の板状部材により構成された
ことを特徴とするフロアパネル。
【請求項２】
前記天板部と前記底板部の間に形成された内部空間に補強部材が設けられた
ことを特徴とする請求項１に記載のフロアパネル。
【請求項３】
前記底板部に形成された窪み部の上端部分が、前記天板部の下面に接合された
ことを特徴とする請求項１に記載のフロアパネル。
【発明の詳細な説明】
【技術分野】
【０００１】
本発明は、フリーアクセスフロア構造に用いられるフロアパネルに関するものである。
【背景技術】
【０００２】
本発明のフロアパネルは、フリーアクセスフロア構造の上に形成される部屋の床板に用いられるものである。そして、フリーアクセスフロア構造のフロアパネルは、建築構造物の一部を構成するコンクリート材等により形成された基礎床面の上方に、所定高さの空間を隔てて設けられるものである（例えば、特許文献１参照）。
【０００３】
図１９から図２３は、従来のフロアパネル２について説明するために参照する図である。従来のフロアパネル２は、図１９に示すように、基礎床面３上に立設する支持脚４と共に、フリーアクセスフロア構造１を構成していた。
【０００４】
フロアパネル２は、基礎床面３から上方に空間を隔てた所定高さの水平面上に、上から見て縦横二軸両方向に互いに隣接して配置されており、フロアパネル２の四隅部が基礎床面３上に立設された支持脚４に着脱可能に支持されていた。
【０００５】
フロアパネル２は、図２０，２１に示すように、天板部６が略正方形に形成された平板状の上側部材６と、底板部８ａが略正方形に形成された箱状の下側部材８を、上側部材６の天板部６ａと、下側部材８の底板部８ａが対向するように上下に組み合わせることにより、図２２に示すように構成されていた。これらの上側部材６と下側部材８は、共に鋼板材を用いて構成されていた。
【０００６】
フロアパネル２の下側部材８には、図２３に示すように、その底板部８ａの周縁部の四辺より、同図中上方に向かって略垂直に折り曲げられた側板部８ｂが形成されていた。
【０００７】
このため、下側部材８は、側板部８ｂの水平方向内側に形成された凹部空間８ｄを有する箱状に形成されていた。
【０００８】
また、側板部８ｂの上端部には水平方向外側（図２３中右側）に向かって略直角に折り曲げられた周縁部８ｈが形成されていた。
【０００９】
そして、上側部材６と下側部材８は、天板部６ａと底板部８ａが対向するように上下に組み合わされ、フロアパネル２の図２３中上側の結合部５において、上側部材６の周縁部６ｈの下面が下側部材８の周縁部８ｈの上面に当接し、周縁部６ｈ，８ｈ同士がカシメ等により互いに結合されていた。
【００１０】
このように、上側部材６と下側部材８が結合部５において一体的に結合されることにより、フロアパネル２は内部空間１０を有する中空状に形成されていた。そして、この内部空間１０には厚さを有する補強部材１２が、天板部６ａと底板部８ａの間に挟まれて設けられていた。
【先行技術文献】
【特許文献】
【００１１】
【特許文献１】特開２００９−１４４３７８号公報
【発明の概要】
【発明が解決しようとする課題】
【００１２】
しかしながら、この従来のフロアパネル２においては、上側部材６と下側部材８を、別々に分けて外形が切り取られた鋼板材を用いて、プレス加工により別々に成形し、図２１に示すように、互いに別部材の上側部材６と下側部材８を上下に組み合わせて結合していたため、その製造工程数が多くなるという問題があった。
【００１３】
すなわち、上側部材６と下側部材８の、略正方形の四辺全ての側辺部の結合部５において、図２３に示すように、上側部材６の周縁部６ｈと、下側部材８の周縁部８ｈをカシメ等により互いに結合する必要があるため、上側部材６と下側部材８の結合工程数が多くなっていた。
【００１４】
また、従来のフロアパネル２においては、上側部材６と下側部材８が、別々に外形が切り取られた鋼板材からプレス加工により成形されていたため、それぞれの鋼板材の外形を切り取る過程において、それぞれの外形と外形の間に半端な廃棄材料が残るため、使用される鋼板材全体の材料費が高くなるという問題があった。
【００１５】
そこで本発明は、上記問題点に鑑みて、その製造工程数を少なくできると共に、使用される材料全体の材料費を節約することができるフロアパネルを提供することを課題とするものである。
【課題を解決するための手段】
【００１６】
上記課題を解決するために、本発明によるフロアパネルは、
箱状に形成されたフロアパネルにおいて、天板部と底板部が一枚の板状部材により構成されたことを特徴とするものである。
【００１７】
また、本発明によるフロアパネルは、
前記天板部と前記底板部の間に形成された内部空間に補強部材が設けられたことを特徴とするものである。
【００１８】
また、本発明によるフロアパネルは、
前記底板部に形成された窪み部の上端部分が、前記天板部の下面に接合されたことを特徴とするものである。
【発明の効果】
【００１９】
このような本発明のフロアパネルによれば、
箱状に形成されたフロアパネルにおいて、天板部と底板部が一枚の板状部材により構成されたことにより、
その製造工程数を少なくできると共に、使用される材料全体の材料費を節約することができる。
【図面の簡単な説明】
【００２０】
【図１】本発明の第１の実施の形態に係るフロアパネル４０の上面図である。
【図２】図１に示すフロアパネル４０の底面図である。
【図３】図１に示すフロアパネル４０の概略側面図である。
【図４】図３に示すフロアパネル４０の上側部４４と下側部４６が、上下に組み合わさるように折り曲げられる前の斜視図である。
【図５】図４に示すフロアパネル４０の上側部４４と下側部４６が、上下に組み合わさるように折り曲げられる途中の状態を示す斜視図である。
【図６】図４に示すフロアパネル４０の上側部４４と下側部４６が、上下に組み合わさるように折り曲げられた後の状態を示す斜視図である。
【図７】図１に示すフロアパネル４０のＡ−Ａ線矢視断面図である。
【図８】図１に示すフロアパネル４０のＢ−Ｂ線矢視断面図である。
【図９】図１に示すフロアパネル４０と、このフロアパネル４０を支持する支持脚４とにより構成されたフリーアクセスフロア構造４１を示す部分側面図である。
【図１０】本発明の第２の実施の形態に係るフロアパネル６０の上面図である。
【図１１】図１０に示すフロアパネル６０のＣ−Ｃ線矢視断面図である。
【図１２】図１０に示すフロアパネル６０の上側部６４と下側部６６が、上下に組み合わさるように折り曲げられる前の斜視図である。
【図１３】図１２に示すフロアパネル６０の上側部６４と下側部６６が、上下に組み合わさるように折り曲げられる途中の状態を示す斜視図である。
【図１４】図１２に示すフロアパネル６０の上側部６４と下側部６６が、上下に組み合わさるように折り曲げられた後の状態を示す斜視図である。
【図１５】本発明の第３の実施の形態に係るフロアパネル８０の上面図である。
【図１６】図１５に示すフロアパネル８０の底面図である。
【図１７】図１６に示すフロアパネル８０のＤ−Ｄ線矢視断面図である。
【図１８】図１７に示すフロアパネル８０の右側部分拡大図。
【図１９】従来のフロアパネル２と、このフロアパネル２を支持する支持脚４とにより構成された従来のフリーアクセスフロア構造１を示す部分斜視図である。
【図２０】従来のフロアパネル２の上面図である。
【図２１】図２０に示すフロアパネル２の上側部材６と下側部材８が、上下に組み合わされる前の状態を示す斜視図である。
【図２２】従来のフロアパネル２の概略側面図である。
【図２３】図２０に示すフロアパネル２のＥ−Ｅ線、Ｆ−Ｆ線矢視断面図である。
【発明を実施するための形態】
【００２１】
以下、本発明に係るフロアパネルを実施するための形態について、図面に基づいて具体的に説明する。
図１から図９は、本発明の第１の実施の形態に係るフロアパネル４０について説明するために参照する図である。
【００２２】
本実施の形態に係るフロアパネル４０は、図１，２に示すように、天板部４４ａが略正方形に形成された箱状の上側部４４と、その天板部４４ａに対向する底板部４６ａが略正方形に形成された箱状の下側部４６を上下に組み合わせることにより、図３に示すように構成されている。
【００２３】
フロアパネル４０は、上側部４４と下側部４６が上下に組み合わされる前は、図４に示すように、上側部４４と下側部４６が、一枚の平板状の鋼板材（板状部材）における、長さ方向中心部の折曲部５２に関して略対称となる位置にそれぞれ一体成形された状態となっている。
【００２４】
上側部４４と下側部４６は、互いに同じ方向（図４中下側方向）に向かって凹部が形成されるようにプレス絞り加工されて、上述したように互いに対称となる位置においてその凹部の形状が略同一となるように成形されている。
【００２５】
その後、図５に示すように、上側部４４に相当する鋼板材を折曲部５２内側の折曲線ＢＬから同図中矢印の方向（同図中反時計回り方向）に、図４に示す状態から１８０度折り曲げることにより、図３，６に示すように、上側部４４の天板部４４ａと、下側部４６の底板部４６ａが対向するように、上側部４４と下側部４６が上下に組み合わされる。
【００２６】
このように、上側部４４と下側部４６が、従来のように互いに別々に分離した鋼板材それぞれに成形される代りに、一組の上側部４４と下側部４６が、一枚の鋼板材をプレス加工することにより一体成形（天板部４４ａと底板部４６ａが一枚の鋼板材により構成）され、その鋼板材の一方の半分を他方の半分に向けて互いに１８０度折り曲げることにより、上側部４４と下側部４６は上下に組み合わされる。
【００２７】
すなわち、上側部４４と下側部４６を折曲部５２の折曲線ＢＬから互いに１８０度折り曲げて、後述する互いの凹部空間４４ｄと凹部空間４６ｄ（図７，８参照）を連通させるように、上側部４４と下側部４６は上下に組み合わされる。
【００２８】
フロアパネル４０の上側部４４には、図７，８に示すように、その天板部４４ａの周縁部から、図中下方に向かって略垂直に折り曲げられた側板部４４ｂが形成されており、フロアパネル４０の下側部４６には、その底板部４６ａの周縁部から、図中上方に向かって略垂直に折り曲げられた側板部４６ｂが形成されている。
【００２９】
このため、上側部４４は、側板部４４ｂの水平方向内側、かつ側板部４４ｂの高さ方向に渡って形成された凹部空間４４ｄを有する箱状に形成されている。また、下側部４６も同様に、側板部４６ｂの水平方向内側、かつ側板部４６ｂの高さ方向に渡って形成された凹部空間４６ｄを有する箱状に形成されている。
【００３０】
また、側板部４４ｂの下端部には水平方向外側（図７中右側）に向かって略直角に折り曲げられた周縁部４４ｈが形成され、側板部４６ｂの上端部には水平方向外側（図７中右側）に向かって略直角に折り曲げられた周縁部４６ｈが形成されている。
【００３１】
そして、上側部４４と下側部４６は、フロアパネル４０の図７中上下方向略中央部の結合部４５において、上側部４４の周縁部４４ｈの下面が、下側部４６の周縁部４６ｈの上面に当接し、凹部空間４４ｄ，４６ｄ同士が連通するように上下に組み合わされている。
【００３２】
また、上側部４４と下側部４６の略正方形の天板部４４ａと底板部４６ａの四辺のうち、図１，２中上側にあって、図中左右方向に伸びる一辺を除く三辺においては、図７に示すように、上側部４４の側板部４４ｂの先の周縁部４４ｈと、下側部４６の側板部４６ｂの先の周縁部４６ｈが結合部４５において、カシメ等により互いに結合されている。
【００３３】
前述のように、一組の上側部４４と下側部４６が、一枚の鋼板材にプレス加工により一体成形され、折曲部５２からその鋼板材の上側部４４の部分を下側部４６に向けて１８０度折り曲げることにより、上側部４４と下側部４６は上下に組み合わされる。
【００３４】
したがって、上側部４４と下側部４６の略正方形の天板部４４ａと底板部４６ａの四辺のうち、図１，２中上側にあって、図中左右方向に伸びる一辺は、図８に示すように、その内側に折曲線ＢＬ（図４参照）が表示された折曲部５２を介して上側部４４と下側部４６が連結されているため、上記一辺の側板部４４ｂ，４６ｂの先の周縁部４４ｈ，４６ｈ同士をカシメ等により互いに結合する工程は必要ないことになる。
【００３５】
また、略同一形状の上側部４４と下側部４６が、鋼板材の折曲部５２の折曲線ＢＬに関して略対称となる位置にそれぞれ形成されているため、折曲部５２内側の折曲線ＢＬを中心として鋼板材の一方を他方に対して１８０度折り曲げた（図４〜図６参照）際に、凹部空間４４ｄ，４６ｄ同士が連通すると共に、周縁部４４ｈ，４６ｈが結合部４５において互いに水平方向にずれることなく当接するようになっている。
【００３６】
それから、上側部４４と下側部４６が結合部４５において一体的に結合されることにより、フロアパネル４０は、内部空間４８を有する中空状に形成される。そして、この内部空間４８内には、フロアパネル４０の強度を向上させるために、厚さを有する補強部材５０が収納されて、天板部４４ａと底板部４６ａとの間に挟まれて設けられている。
【００３７】
この補強部材５０には、木材を小さな木片に砕いて乾燥させ、接着剤を加えて高温高圧の下で成形したパーティクルボードが用いられている。
【００３８】
また、図１，２に示すように、フロアパネル４０は、その略正方形の側辺部の一つである下辺（同図中左右方向に伸びる下側の辺）において、その内側に略矩形状に入り込むような開口部４０ａが形成されている。この開口部４０ａは、床下配線をフロアパネル４０上に設置されたＯＡ機器等に接続するために使用されるコンセントボックスを取付ける等のために用いられている。
【００３９】
そして、フロアパネル４０の開口部４０ａを構成する略コの字状の３つの辺部には、上側部４４の上面と平行（水平）で、その上面との間に高さが低い段差面を有する段差受部４４ｇが形成されている（図６参照）。この段差受部４４ｇは、フロアパネル４０の開口部４０ａを構成する略コの字状の３つの辺部に沿って形成されている。
【００４０】
そして、この上側部４４の段差受部４４ｇ上に、その上面が上側部４４の上面と略同一平面状になるよう形成された、板状の蓋部材１８（図１９参照）の下面を接触させて、フロアパネル４０の開口部４０ａを閉塞するようになっている。
【００４１】
また、フロアパネル４０の上側部４４は、図１に示すように、その四隅部それぞれには、その平面形状が円形を４分割したような円弧状の段差受面４４ｅが形成されており、段差受面４４ｅは、図３に示すように、上側部４４の上面と平行（水平）で、その上面との間に高さが低い段差を有するように形成されている。
【００４２】
フロアパネル４０は、図９に示すように、基礎床面３上に立設する支持脚５３と共にフリーアクセスフロア構造４１を構成するようになっている。そして、フロアパネル４０を支持する支持脚５３は、パネル調整台５４と脚部５６により構成されている。
【００４３】
支持脚５３のパネル調整台５４は、その軸線部下端側に形成されたメネジ部に、脚部５６の外周部に形成されたオネジ部５６ａをネジ結合した状態で、オネジ部５６ａの螺旋軌跡に沿ってパネル調整台５４を相対回転させることにより、パネル調整台５４の基礎床面３からの高さ位置を調整している。
【００４４】
そして、パネル調整台５４の下端部に形成された、軸線がその半径方向に伸びるメネジ孔に、オネジ部材５５を締め付けることにより、パネル調整台５４を基礎床面３から所望の高さ位置に固定している。
【００４５】
また、パネル調整台５４の支持面５４ａ上に、複数のフロアパネル４０の底面の四隅部が１箇所に寄せ集めて突き合わせるように載置されている。そして、フロアパネル４０は、皿ボルト５７のオネジ部５７ｂを、パネル調整台５４の軸線部上端側のメネジ孔５４ｂに締め付けることにより、その上側部４４の四隅部の段差受面４４ｅが、皿ボルト５７の皿頭部５７ａにより下方に押え付けられて、パネル調整台５４の支持面５４ａ上に固定されている。
【００４６】
前述のように、一体成形された上側部４４及び下側部４６の略正方形の側辺部の四辺のうち、図１，２中左右方向に伸びる上側の一辺は、折曲部５２を介して上側部４４と下側部４６が連結されているため、上側部４４の周縁部４４ｈと、下側部４６の周縁部４６ｈをカシメ等により互いに結合する工程は必要ないことになる。
【００４７】
このため、フロアパネル４０の製造工程を、上側部４４及び下側部４６の略正方形の側辺部の四辺全ての周縁部４４ｈ，４６ｈ同士を互いに結合する必要があった従来のフロアパネル２の製造工程数よりも少なくすることができる。
【００４８】
また、前述のように、一組の上側部４４と下側部４６が、一枚の平板状の鋼板材にプレス絞り加工により一体成形され、この鋼板材を１８０度折り曲げることにより、上側部４４と下側部４６は上下に組み合わされている（図４〜図６参照）。
【００４９】
このため、従来のフロアパネル２のように、上側部４４及び下側部４６が、別々に外形が切り取られた二枚の鋼板材を用いて、プレス絞り加工によりそれぞれ成形される場合よりも、必要な形状に鋼板材を切り取る過程において切断される鋼板材の量を削減することができるため、使用される鋼板材の材料費用を節約することができる。
【００５０】
したがって、以上に説明したように、本実施の形態に係るフロアパネル４０によれば、その製造工程数を少なくすると共に、その材料費用を節約することができる。
【００５１】
図１０から図１４は、本発明の第２の実施の形態に係るフロアパネル６０について説明するために参照する図である。
【００５２】
本実施の形態に係るフロアパネル６０は、図１０及び図１１に示すように、フロアパネル６０の上側部６４が平板状に形成されている点において、前記第１の実施の形態に係るフロアパネル４０と異なるものである。
【００５３】
すなわち、前記第１の実施の形態におけるフロアパネル４０の上側部４４は、凹部空間４４ｄを有する箱状（図７，８参照）に形成されていたが、本実施の形態に係るフロアパネル６０の上側部６４は箱状ではなく平板状に形成されている（図１１参照）。その他の構成は、前記第１の実施の形態に係るフロアパネル４０と同様である。
【００５４】
したがって、フロアパネル６０の下側部６６は、前記第１の実施の形態におけるフロアパネル４０の下側部４６と同様に、凹部空間６６ｄを有する箱状に形成されている（図１１参照）。
【００５５】
そして、フロアパネル６０においても、前記第１の実施の形態におけるフロアパネル４０と同様に、折曲部７２の折曲線ＢＬ１から上側部６４の天板部６４ａと、下側部６６の底板部６６ａが対向するように一枚の鋼板材を折り曲げることにより、上側部６４と下側部６６が上下に組み合わされている（図１２〜図１４参照）。
【００５６】
このような本実施の形態に係るフロアパネル６０によっても、前記第１の実施の形態に係るフロアパネル４０と同様の効果を得ることができる。
【００５７】
図１５から図１８は、本発明の第３の実施の形態に係るフロアパネル８０について説明するために参照する図である。
【００５８】
本実施の形態に係るフロアパネル８０は、図１６及び図１７に示すように、フロアパネル８０の底板部８６ａに段差部８６ｆと窪み部８６ｃが形成され、内部空間８８に補強部材５０が設けられていない点において、前記第２の実施の形態に係るフロアパネル６０と異なるものである。
【００５９】
すなわち、フロアパネル６０の底板部６６ａは、図１１及び図１２に示すように、全域に渡って平坦に形成され、フロアパネル６０の強度を向上させるために内部空間６８に補強部材５０が設けられていたが、フロアパネル８０の底板部８６ａは、図１７に示すように、平坦に形成されていないと共に、内部空間８８に補強部材５０が設けられていない点において異なっている。
【００６０】
その他の構成は、前記第２の実施の形態に係るフロアパネル６０と同様である。したがって、フロアパネル８０の上側部８４は、前記第２の実施の形態におけるフロアパネル６０の上側部６４と同様に平板状に形成されている（図１５，１７参照）。
【００６１】
また、フロアパネル８０においても、前記第２の実施の形態におけるフロアパネル６０と同様に、上側部８４の天板部８４ａと、下側部８６の底板部８６ａが対向するように一枚の鋼板材を折曲部８２から折り曲げることにより、上側部８４と下側部８６が上下に組み合わされている。
【００６２】
フロアパネル８０の底板部８６ａの周縁部には、図１６及び図１７に示すように、天板部８４ａと略平行な平面を有する底部８６ｇが形成されている。また、底部８６ｇが形成された底板部８６ａの周縁部より内側には、底部８６ｇから天板部８４ａ側（図１７中上側方向）に所定の高さ凹んだ段差部８６ｆが形成されている。
【００６３】
底板部８６ａの段差部８６ｆは、底部８６ｇと略平行な平面を有し、その平面から天板部８４ａ側の方向（図１７中上側方向）に半円球状に窪むように形成された窪み部８６ｃが段差部８６ｆの略全域に渡って複数形成されている（図１６参照）。
【００６４】
また、半円球状の窪み部８６ｃは、図１８に示すように、同図中上側の頂部８６ｅ（上端部分）が天板部８４ａの下面に当接するように形成されており、窪み部８６ｃの頂部８６ｅと、天板部８４ａの下面はスポット溶接等により接合されている。
【００６５】
このような本実施の形態に係るフロアパネル８０によっても、前記第１，２の実施の形態に係るフロアパネル４０，６０と同様の効果を得ることができる。
【００６６】
また、本実施の形態に係るフロアパネル８０においては、前述のように、底板部８６ａに半円球状の窪み部８６ｃが複数形成され、窪み部８６ｃの頂部８６ｅが天板部８４ａの下面に接合されている。
【００６７】
このため、フロアパネル８０の天板部８４ａに対して、その上面から図１７中下側方向に向かって大きな力が加わった場合でも、天板部８４ａが窪み部８６ｃにより支持されるため、天板部８４ａが凹むことを防止することができる。
【００６８】
したがって、本実施の形態に係るフロアパネル８０によれば、フロアパネル８０の下側部８６に窪み部８６ｃが形成されることにより、内部空間８８に補強部材５０を設けることなく、フロアパネル８０の強度を向上させることができる。
【００６９】
なお、本発明は、前記第１から３の実施の形態のみに限定されるものではなく、本発明の目的を達成することができる範囲内であれば、フロアパネルの種々の変更が可能である。
【００７０】
例えば、前記第１，２の実施の形態に係るフロアパネル４０，６０は、その内部空間４８，６８内にパーティクルボードを用いた板状の補強部材５０が設置されていたが、その内部空間４８，６８内にはパーティクルボード以外の他の木質材料、又は木質材料以外の材料により形成された補強部材が設置されていてもよいし、何も設置されていなくてもよい。
【００７１】
また、木質材料の代りにモルタルなどの他の材料により形成された補強部材を用いる場合には、板状に形成された部材の代りに、上側部４４，６４と下側部４６，６６により形成したフロアパネル４０，６０の内部空間内に、例えば天板部４４ａ，６４ａに開口した孔から流動状の材料を充填して、時間の経過により固化させるようにしてもよい。
【００７２】
また、前記第１の実施の形態に係るフロアパネル４０は、一部の辺を除き、上側部４４と下側部４６の三辺の周縁部４４ｈ，４６ｈ同士をカシメにより結合されていたが、このような結合方法に限定される必要はなく、溶接や、周縁部４４ｈ，４６ｈの先端部同士を互いに折り畳むことにより結合されていてもよい。
【００７３】
また、前記第１〜第３の実施の形態に係るフロアパネル４０，６０，８０は、鋼板材を用いて形成されていたが、鋼板材に限定される必要はなく、アルミニウム等の他の材質を用いて形成されていてもよい。
【００７４】
また、前記第１の実施の形態に係るフロアパネル４０は、図７，８に示すように、上側部４４の凹部空間４４ｄの深さと、下側部４６の凹部空間４６ｄの深さが略同じ深さとなるように形成されていたが、このような形状に限定される必要はなく、凹部空間４４ｄと凹部空間４６ｄの深さが互いに異なっていてもよい。
【００７５】
また、前記第１の実施の形態に係るフロアパネル４０は、上側部４４の側板部４４ｂの下端部には水平方向外側（図７中右側）に向かって略直角に折り曲げられた周縁部４４ｈが形成され、下側部４６の側板部４６ｂの上端部には水平方向外側（図７中右側）に向かって略直角に折り曲げられた周縁部４６ｈが形成されていたが、このような構成に限定される必要はない。
【００７６】
例えば、周縁部４４ｈ，４６ｈが形成されず、上側部４４の側板部４４ｂの下端部と、下側部４６の側板部４６ｂの上端部が溶接等により互いに結合されるように構成されていてもよい。
【００７７】
また、前記第３の実施の形態に係るフロアパネル８０は、窪み部８６ｃの頂部８６ｅと、天板部８４ａの下面がスポット溶接により接合されていたが、かしめ等の他の接合方法により接合されていてもよい。
【００７８】
また、図１９においては、説明の便宜上、図の中央に置かれた１つの支持脚４が、３枚のフロアパネル２それぞれの隅部を寄せ集めて支持する場合について示してあるが、１つの支持脚４は４枚のフロアパネル２の隅部を寄せ集めて支持することができ、それが本来の支持脚４の使い方であることはいうまでもなく、前記第１〜第３の実施の形態に係るフロアパネル４０，６０，８０についても同様である。
【符号の説明】
【００７９】
１  フリーアクセスフロア構造
２  フロアパネル
２ａ  開口部
３  基礎床面
４  支持脚
５  結合部
６  上側部材
６ａ  天板部
６ｈ  周縁部
８  下側部材
８ａ  底板部
８ｂ  側板部
８ｄ  凹部空間
８ｈ  周縁部
１０  内部空間
１２  補強部材
１８  蓋部材
４０  フロアパネル
４０ａ  開口部
４１  フリーアクセスフロア構造
４４  上側部
４４ａ  天板部
４４ｂ  側板部
４４ｄ  凹部空間
４４ｅ  段差受面
４４ｇ  段差受部
４４ｈ  周縁部
４５  結合部
４６  下側部
４６ａ  底板部
４６ｂ  側板部
４６ｄ  凹部空間
４６ｈ  周縁部
４８  内部空間
５０  補強部材
５２  折曲部
５３  支持脚
５４  パネル調整台
５４ａ  支持面
５４ｂ  メネジ孔
５５  オネジ部材
５６  脚部
５６ａ  オネジ部
５７  皿ボルト
５７ａ  皿頭部
５７ｂ  オネジ部
６０  フロアパネル
６４  上側部
６４ａ  天板部
６６  下側部
６６ａ  底板部
６６ｄ  凹部空間
６８  内部空間
７２  折曲部
８０  フロアパネル
８２  折曲部
８４  上側部
８４ａ  天板部
８６  下側部
８６ａ  底板部
８６ｃ  窪み部
８６ｆ  段差部
８６ｇ  底部
８６ｅ  頂部
８８  内部空間
ＢＬ，ＢＬ１  折曲線
【図１】
2015094177.tif 000003
【図２】
2015094177.tif 000004
【図３】
2015094177.tif 000005
【図４】
2015094177.tif 000006
【図５】
2015094177.tif 000007
【図６】
2015094177.tif 000008
【図７】
2015094177.tif 000009
【図８】
2015094177.tif 000010
【図９】
2015094177.tif 000011
【図１０】
2015094177.tif 000012
【図１１】
2015094177.tif 000013
【図１２】
2015094177.tif 000014
【図１３】
2015094177.tif 000015
【図１４】
2015094177.tif 000016
【図１５】
2015094177.tif 000017
【図１６】
2015094177.tif 000018
【図１７】
2015094177.tif 000019
【図１８】
2015094177.tif 000020
【図１９】
2015094177.tif 000021
【図２０】
2015094177.tif 000022
【図２１】
2015094177.tif 000023
【図２２】
2015094177.tif 000024
【図２３】
2015094177.tif 000025